Podtech/llm-jp-corpus-v4-ja_patent huggingface dataset:
(57)【要約】      （修正有）【課題】額から外れないようにした、保冷材を使用した、額冷し装置を提供する。【解決手段】額冷し装置本体を正面から見て、右端に右端面ファスナー凹部と、更にその先端に、右先端細ゴムバンド掛け輪５を設け、左側も、前述の右側と対照的な構造にした。額冷し装置本体１の底面には、保冷材を入れる開放部を設け、又ゴムバンドを使用して、額を冷すことを特徴とする。【選択図】図１
0003198261.tif 000002
【実用新案登録請求の範囲】
【請求項１】
額冷し装置本体（１）を正面から見て、右端に右端面ファスナー凹部（３）と、背面に右端面ファスナー凹部（３−１）を設け、更にその先端に、右先端細ゴムバンドを掛ける輪（５）を設け、左側も、前述の右側と対照的な構造にして、額冷し装置本体（１）の底面には、保冷材を入れる開放部（７）を設け、ゴムバンドの左右に面ファスナー凸部を設けたことを特徴とする額冷し装置。
【考案の詳細な説明】
【技術分野】
【０００１】
額を冷やすために保冷材を袋の中に入れて、両端に面ファスナーを使用して額から外れないようにした額冷し装置に関する。
【背景技術】
【０００２】
機械装置としては、色々あるが布で作った簡単なものは、他に見当たらない。
特許文献１  実開平０５-０３９５２６号公報（氷のう兼用水まくら）も額を冷す、下熱効果のある考案と記載されているが構造的違いが大きい。
【先行技術文献】
【特許文献】
【０００３】
【特許文献１】実開平０５-０３９５２６号公報
【考案の概要】
【考案が解決しようとする課題】
【０００４】
体に熱があると、額に手をあてると熱の状態が分かる。
若干の熱であれば、自分でタオルを水でぬらして額にあてても手がだるく、長時間は維持出来ない。
腕・足などは特に手で押さえながら仕事をするとき、用事で歩くときは何れも不便であり、冷す装置がなければ大変不便である。
又、熱がなくても夏季には、暑さの対策として保冷材を使用して快適に生活したいと考えるのは、当然のことであり、何とかしなければならない課題である。本考案はこれを解決するために考案したものである。
【課題を解決するための手段】
【０００５】
額冷し装置本体（１）を正面から見て、右端に右端面ファスナー凹部（３）と、背面にも右端面ファスナー凹部（３−１）を設け、更にその先端に、右先端細ゴムバンドを掛ける輪（５）を設けた。
【０００６】
額冷し装置本体（１）の底面には、保冷材を入れる開放部（７）は、入り口は小さく内部左右に広い構造である。（図２）
ゴムバンド（２）を使用して、額を冷す場合と、細ゴムバンド（８）を使用して行う場合と両方好みで選択できる構造にした。
【考案の効果】
【０００７】
（イ）額を冷す場合も、腕・足、何処でもゴムバンドを使用できる。
（ロ）外出するときも、家事をするときも不自由がない。
（ハ）ゴムバンド・細ゴムバンドどちらでも本人の好みで使用できる。
【図面の簡単な説明】
【０００８】
【図１】本考案の正面図
【図２】本考案の保冷材を挿入する開放部を示した底面図
【図３】本考案の額冷し装置本体の右端面ファスナー凹部に、右端面ファスナー凸部を合体させた正面図
【図４】本考案の額冷し装置にゴムバンドを左右合体させて、保冷材を挿入する開放部を示した底面図
【図５】「Ａ」ゴムバンド      「Ｂ」細ゴムバンド
【考案を実施するための形態】
【０００９】
気温が高いとき、自分の体に熱があるとき、額を冷すことが出来ることは当然としても、額冷し装置に保冷材を入れてあるため効果がある。
また、ゴムバンド（２）の左右先端には面ファスナー凸部を設けた。
細ゴムバンド（８）で体に密着させてあるため、額冷し装置を使いながら、家事の作業をしても不利な面はない。
額冷し装置本体（１）を正面から見て、右端に右端面ファスナー凹部（３）と、背面に右端面ファスナー凹部（３−１）を設け、更にその先端に、右先端細ゴムバンドを掛ける輪（５）を設けた。
左側も、前述の右側と対照的な構造にした。（図１）
【００１０】
額冷し装置本体（１）の底面には、保冷材を入れる開放部（７）は、入り口は小さく内部左右に広い構造である。（図２）
ゴムバンド（２）を使用して、額を冷す場合と、細ゴムバンド（８）を使用して行う場合と両方好みで選択できる構造にした。
又、額冷し装置本体（１）は、額・腕・足何処にでも使用できる構造にした。
【符号の説明】
【００１１】
（１）        額冷し装置本体
（２）        ゴムバンド
（２−１）   ゴムバンド面ファスナー凸部「右」
（２−２）   ゴムバンド面ファスナー凸部「左」
（３）        右端面ファスナー凹部
（３−１）  右端背面面ファスナー凹部
（４）        左端面ファスナー凹部
（４−１）  左端背面面ファスナー凹部
（５）        右先端細ゴムバンドを掛ける輪
（６）        左先端細ゴムバンドを掛ける輪
（７）        保冷材を入れる開放部
（８）        細ゴムバンド
（８−１）  細ゴムバンド面ファスナー凸部「右」
（８−２）  細ゴムバンド面ファスナー凹部「右１」
（８−３）  細ゴムバンド面ファスナー凹部「右２」
（８−４）  細ゴムバンド面ファスナー凸部「左」
（８−５）  細ゴムバンド面ファスナー凹部「左１」
（８−６）  細ゴムバンド面ファスナー凹部「左２」
【図１】
0003198261.tif 000003
【図２】
0003198261.tif 000004
【図３】
0003198261.tif 000005
【図４】
0003198261.tif 000006
【図５】
0003198261.tif 000007
(57)【要約】【課題】財布より紙幣を取り出す際に利用できる、利便性の高い紙めくりケースを提供とすることを課題とする。【解決手段】財布のカードケースに収納して利用する形態であって、二枚が合わせられた革、若しくは可撓性なる合成樹脂等によるもので、三辺が閉じられ一辺は開口部とされる。該開口部の一方に湾曲形となる板発条による開口金具（３）を設け、紙めくりケースの内部に紙めくり剤（４）を備えることで、容易に指に紙めくり剤を付着させることが可能となる。【選択図】図４
0003198265.tif 000002
【実用新案登録請求の範囲】
【請求項１】
二枚から成る革、若しくは可撓性なる合成樹脂、若しくは化学繊維の素材にて形成され、財布のカードケースに収まる大きさの三辺が閉じられた紙めくりケースであって、開口部となる一辺には開口に利用するための湾曲形となる板発条による開口金具を設け、該紙めくりケース内に紙めくり剤を備え且つ内面の一方を粗面とすることを特徴とする紙めくりケース。
【考案の詳細な説明】
【技術分野】
【０００１】
本考案は事務用品の一つである紙めくりケースに関する。
【背景技術】
【０００２】
従来、紙めくりは重ねられた多数の紙から１枚だけを取り出す、つまりめくり上げる状態にするために、指がすべらないように指先に付着させる紙めくり剤のことであって、スポンジに水を含ませただけのものも利用され、また指先にゴムキャップを装着する場合など用途において幾つかに分かれている。その中の一つとして、財布より紙幣を取り出す際に利用される形態として、特許文献１による「お財布用スライド式小型薄型ケース入り紙（お札）めくり剤」が開示されている。
【先行技術文献】
【特許文献】
【０００３】
【特許文献１】特開２０１３−０８５９３９号公報
【考案の概要】
【考案が解決しようとする課題】
【０００４】
財布の中から紙幣を取り出す際には、１枚のみを確実に取り出すことは容易ではなく、特に新札が重なっている場合は１枚のつもりが誤って２枚重ねて出してしまう場合も少なくはない。前記特許文献１が開示されているものの、これは携帯用紙めくりを利用するのと何ら変わるものではなく、特に左手に紙めくりを持ち、右手の指に紙めくり剤を付着させる時、財布の状態はどうなのか、例えば脇に挟んだり、もしくは台の上に置く必要がある。そこで、財布の紙幣を取り出す際に利用しやすい携帯の紙めくりケースを提供することを課題とする。
【課題を解決するための手段】
【０００５】
本考案による紙めくりは、財布のカード入れに差し込む形態のものである。従って形状はカードよりも小さくて厚さも厚すぎてはならない。利用方法は袋状となる２枚の布（皮など）の中間部に紙めくり剤を塗布し、そこへ指を入れ紙めくり剤を付着させることで容易に利用することができる。レジでの対応においても従来と何ら変わるものではない。
【考案の効果】
【０００６】
この紙めくりの形態は、財布のカード入れに収納することができるため、容器のように探したり、蓋を取ったりする必要もない。よって速やかに紙幣を取り出すことができ、１枚だけでも確実に取り出すことが可能となる。
【図面の簡単な説明】
【０００７】
【図１】本発明による紙めくりケースの正面図
【図２】本発明による紙めくりケースの側面図
【図３】本発明による紙めくりケースの平面図
【図４】本発明による紙めくりケースの断面図の部分拡大図
【考案を実施するための形態】
【０００８】
形態について詳しく説明すると、大きさについてはカードの大きさより小さく、厚さにおいては２枚の皮を重ねた程度である。つまり財布のカード入れに収納しても違和感のない形状であれば問題とはならない。
【０００９】
しかし、いくつかの課題もあり順次説明する。まず一つめとして指が入れやすい形状であること。これに対しては指を入れる箇所に、中央部が盛り上がった開口金具（３）を備える。該開口金具（３）を板発条とすることで容易に口を開け指を入れることができる。利用後は発条の力により口が閉じるため紙めくり剤（４）の乾燥を防ぐことができる。
【００１０】
次に紙めくりケースの素材については、不透水性の化学繊維や革であったり、また可撓性の合成樹脂であったり、ビニールやナイロンでも可能であり限定されるものではない。そこで例えばビニール類を使用する場合は、紙めくりケースの周囲に硬質の素材を用い形状を安定させ中央部のビニールの部分に紙めくり剤（４）を充填することもできる。何れにしても、紙めくりケースの内側は滑らかでは紙めくり剤（４）が指に付着しにくく、少なくとも１面はざらざらとした面（粗面）にする必要がある。
【００１１】
そこで紙めくりケースを財布のカード入れに収納し、利用する際に紙めくりケースの前面が左方向に向いている場合、仮に右手の親指の前面（手のひら側）に紙めくり剤（４）を付着させようとする場合は、ケース背面（１）側を粗面にする必要がある。これはケース内面の両面を粗面にすると親指の背面（爪側）にも紙めくり剤（４）が付着し好ましくないからである。
【００１２】
この親指に紙めくり剤（４）を付着させる方法は、財布より１枚ずつ紙幣を取り出すのに有効である。また個人により人差指のみに紙めくり剤（４）を付着させたい場合は、手首を少し回転させて紙めくりケースに指を入れることで容易に対応することができる。また紙めくりケースを財布の反対側のカード入れに収納する方法もある。更には親指と人差指等複数本の指に付着させる場合は、親指に紙めくり剤（４）をたっぷりと付着させ、他の指とこすり合わせることによりお互いの指に紙めくり剤（４）を付着させることができる。これは紙幣を何枚も数える場合にはよく利用されることである。
【００１３】
次に紙めくり剤（４）の材質としては、ジェル状の素材を充填する方法と、硬質の紙めくり剤（４）を板状の形状として紙めくりケースの中へ収納する方法と、板状の吸水性マットに紙めくり剤（４）を浸透させたものを収納する方法などがある。これらは互換性があるもので、個個の利用者に対し適応できるものである。また紙めくりケースが安価なものであれば使い捨てとして利用する方法も有効である。
【符号の説明】
【００１４】
１    ケース背面
２    ケース前面
３    開口金具
４    紙めくり剤
【図１】
0003198265.tif 000003
【図２】
0003198265.tif 000004
【図３】
0003198265.tif 000005
【図４】
0003198265.tif 000006
(57)【要約】      （修正有）【課題】流し台のように縁部を有するものに立設して配設される水栓であって、洗顔や飲水が簡単に直接出来る手動回転吐水管体を有する水栓を提供する。【解決手段】流し台５の縁部６に立設される水栓本体２に基端部を固定して伸延する吐水管体１ｂの先端には手動で３６０°回転出来る別体の吐水管体１ａが連結されこの吐水管体１ａを手動で回転させることにより洗顔や飲水が直接、かつ簡単に出来る。【選択図】図１
0003198249.tif 000002
【実用新案登録請求の範囲】
【請求項１】
流し台等のように縁部を有する物体のその縁部に立設して配置される水栓であって、該水栓は、前記縁部に立設し水供給源に連通し開閉ハンドルを有する水栓本体と、該水栓本体の先端部に基端部を連結固定して略水平方向に伸延する吐水管とからなり、該吐水管の先端には手動で３６０°回転出来、水を吐出する形状の吐水管体が形成されることを特徴とする手動回転吐水管体を有する水栓。
【考案の詳細な説明】
【技術分野】
【０００１】  本考案は縁部に立設する水栓であって、その吐水管の先端が手動で３６０°回転する形態のものからなる手動回転吐水管体を有する水栓に関する。
【背景技術】
【０００２】  流し台の縁部に立設する水栓としては図４に示す形状のものが一般に使用されている。この種水栓としては「特許文献１」に示すような形状のものがあるが図４に示す形状のものも存在している。
【先行技術文献】
【特許文献】
【０００３】
【特許文献１】特開２０１４−１８１４８２号（図１）「特許文献１」の「特開２０１４−１８１４８２号」の「自動水栓装置」はその（図１）に示すようにボウル（２０）の縁部に水栓が設けられており、この水栓は図示のようにスパウト（１０）からなり、吐水口（１１）はスパウト（１０）の先端に下方を向いて設けられるものからなる。従って、水は吐水口（１１）からボウル（２０）に向かって下向きに供給されるものからなる。
一方、図４に示す水栓１００Ａは流し台５の縁部６から立ち上る水栓本体２とこの先端からほぼ水平方向に伸延する吐水管１Ａとから形成されている。水供給源３からの水はハンドル４の操作によって吐水管１Ａの先端から下方に向かって流出され流し台５に当る形態のものからなる。
【考案の概要】
【考案が解決しようとする課題】
【０００４】  以上のように従来の水栓１００Ａは吐水管１Ａが固定でその吐水口７は下向きのため人間の顔面を直接洗う事が出来ず、また、飲水もコップ等を用いなければ簡単に出来ない問題があった。【０００５】  本考案は、以上の問題点を解決するために考案されたものであり、洗顔や飲水が簡単に直接出来、構造も簡単で安価に、かつ容易に実施出来る手動回転吐水管体を有する水栓を提供することを目的とする。
【課題を解決するための手段】
【０００６】  本考案は、以上の目的を達成するために、請求項１の考案は、流し台等のように縁部を有する物体のその縁部に立設して配置される水栓であって、該水栓は、前記縁部に立設し水供給源に連通し開閉ハンドルを有する水栓本体と、該水栓本体の先端部に基端部を連結固定して略水平方向に伸延する吐水管とからなり、該吐水管の先端には手動で３６０°回転出来、水を吐出する形状の吐水管体が形成されることを特徴とする。
【考案の効果】
【０００７】  本考案の請求項１の手動回転吐水管体を有する水栓によれば、吐水管の先端側の一部にのみ手動で３６０°回転出来る吐水管体が設けられているため吐水管体の吐水口を任意の方向に向ける事が出来る。このため、洗顔や飲水が容易に、かつ簡単に出来る効果を上げることが出来、かつ構造が簡単のため安価に実施することが出来る。
【図面の簡単な説明】
【０００８】
【図１】本考案の手動回転吐水管体を有する水栓の全体構造を示す模式図。
【図２】本考案の手動回転吐水管体を有する水栓の吐水管の回転状態を説明するための模式図。
【図３】本考案の手動回転吐水管体を有する水栓による飲水状態を示す模式図。
【図４】従来の水栓の全体構造を示す模式図。
【考案を実施するための形態】
【０００９】  以下、本考案の手動回転吐水管体を有する水栓の実施の形態を図面に基づいて詳細に説明する。
【００１０】  図１に示すように手動回転吐水管体を有する水栓１００は水栓本体２とこの先端に基端部を固定して伸延する吐水管１とからなる。水栓本体２は流し台５の縁部６に立設するものからなり、水供給源３に連通されるものからなり、その連通はハンドル４の開閉により行われる。
【００１１】  吐水管１は細長のパイプ体からなるが本考案の手動回転吐水管体を有する水栓１００では先端に別体の吐水管体１ａを有するものからなり、吐水管体１ａは水栓本体２に連結されている吐水管体１ｂに手動で３６０°回転可能に保持されるものからなり、吐水管体１ａの先端には吐水口７が図示では下向きの状態で形成されている。図２は吐水管体１ａの回転状態を示すもので図示のように吐水管体１ａは３６０°回転出来るものからなる。従って、吐水管体１ａの吐出口７は３６０°の範囲の任意の位置に手動により廻すことが出来る。
【００１２】  手動回転吐水管体を有する水栓１００は以上の構造からなるため、例えば人間が飲水を欲する場合には図３に示すように吐水管体１ａを回転させてその吐水口７を上向きにすることにより口８（図３に示す）に吐水口７を近接させることが出来、ハンドル４（図４に示す）を回転させる事により直接飲水することが出来る。また、図示していないが洗顔も直接行うことが簡単に出来る。
【００１３】  本考案の手動回転吐水管体を有する水栓１００は以上の内容のものからなるが、その内容は前記の説明に限定するものではなく、同一技術的範疇のものが適用されることは勿論である。
【産業上の利用可能性】
【００１４】  本考案の手動回転吐水管体を有する水栓は流し台５の縁部６に立設するものに限らず縁部を有するものに対して全ての水栓に適用可能であり、その利用範囲は広い。
【符号の説明】
【００１５】１      吐水管
１ａ    吐水管体
１ｂ    吐水管体
２      水栓本体
３      水供給源
４      ハンドル
５      流し台
６      縁部
７      吐水口
８      口
１００  手動回転吐水管体を有する水栓
【図１】
0003198249.tif 000003
【図２】
0003198249.tif 000004
【図３】
0003198249.tif 000005
【図４】
0003198249.tif 000006
(57)【要約】      （修正有）【課題】使う時に力を入れやすく、生ゴミの水分を十分に減らすことができ、また使わない時には流し台に容易に保管できるようにした生ゴミの水絞り器具を提供する。【解決手段】本体部１と蓋部２の嵌合ができる２つのパーツで構成し、蓋部２の上部に球面状の押さえつけ面部を設置したことにより、押さえつけるときに上方から力をかけやすく、比較的力の弱い女性でも水分を十分に切ることができるように改善した。【選択図】図１
0003198250.tif 000002
【実用新案登録請求の範囲】
【請求項１】
本体部と蓋部とからなる生ゴミの水絞り器具であって、前記本体部は中空の略円錐形状でありかつ該本体部の下部には生ゴミを押さえつけるためのプレス面部と上部には前記蓋部と嵌合するための第１の嵌合部とを有し、さらに前記本体部の前記第１の嵌合部から前記プレス面部にわたってスリット状の切れ目が設けられており、前記蓋部には上部に押さえつけ面部と当該蓋部の下部に前記本体部の前記第１の嵌合部と回転可能に嵌合する第２の嵌合部とが設けられ、さらに前記押さえつけ面部及び前記第２の嵌合部には前記本体部のスリット状の切れ目に対応するスリット状の切れ目が設けられていることを特徴とする生ゴミの水絞り器具。
【請求項２】
前記押さえつけ面は球面状であることを特徴とする請求項１記載の生ゴミの水絞り器具。
【考案の詳細な説明】
【技術分野】
【０００１】  本発明は、家庭等の流し台に溜まった生ゴミの水分を切ったり、絞ったりする生ゴミの水絞り器具に関するものである。
【背景技術】
【０００２】  特許文献１にあるような従来の生ゴミの水絞り器具は、水分を減らすことは可能であったが、それを使用するときに力を入れづらく、押しづらいという欠点があり、生ゴミに含まれる水分を十分に減らして、ゴミの収集や焼却コストを削減するという目的は達成されにくい状況であった。【０００３】  また、特許文献２にあるように１つの簡単な形状で作られているものが多く、流し台に保管する方法も考慮されていないために、使いづらいものであつた。
【先行技術文献】
【特許文献】
【０００４】
【特許文献１】特開２００３−２４０１
【特許文献２】特開２００４−４３１７５
【考案の概要】
【考案が解決しようとする課題】
【０００５】  本考案は、上述した従来の生ゴミの水絞り器具の欠点に鑑み、使うときに力を入れやすく、本来の目的である生ゴミの水分を十分に減らすことができ、また使わないときには流し台に容易に保管できるようにした生ゴミの水絞り器具を提供する事を目的としている。
【課題を解決するための手段】
【０００６】  本考案では、従来品と異なり、本体部と蓋部の嵌合ができる２つのパーツで構成し、蓋部の上部に球面状の押さえつけ面部を設置したことにより、押さえつけるときに上方から力をかけやすく、比較的力の弱い女性でも水分を十分に切ることができるように改善した。【０００７】  本体部と蓋部は、必要最小限の大きさにして、例えば、三角コーナーの隅にある生ゴミであっても、押さえつけやすいように配慮した。【０００８】  本体部と蓋部は、嵌合した状態で回転させることができ、２つのパーツには切れ目があり、合わせた場合は水切りネットを挿入することや三角コーナーの縁に掛けて、保管することができ、切れ目をずらすことで、フック等にかけることができるフック引っ掛け口として使用ができるので、より容易に保管をすることができる。
【考案の効果】
【０００９】  押しやすいことにより、従来品より、効率的に水分を切ったり、絞ったりすることができる。【００１０】  収納方法を考慮したことにより、流し台に保管しやすいことから、利用頻度があがると考えられる。
【図面の簡単な説明】
【００１１】
【図１】本考案品の組立て前  斜視図
【図２】本考案品の組立て後  斜視図
【図３】本考案品にフック引っ掛け口を形成した状態を表す図
【図４】本考案品の上面図
【図５】本考案品の断面図
【考案を実施するための形態】
【００１２】  以下、本考案の実施の形態を図に基づいて説明する。
【実施例】
【００１３】  図１は、本考案の生ゴミの水絞り器具の本体部（１）と蓋部（２）を嵌合する前の図である。中空の略円錐形状の本体部（１）にある第１の嵌合部（１１）と蓋部（２）にある第２の嵌合部（２１）を合わせることで、嵌合する。【００１４】  図２は、本考案の生ゴミの水絞り器具の本体部（１）と蓋部（２）を嵌合させた図であり、この状態で使用する。【００１５】  図２は、本体部（１）の切れ目（１２）と蓋部（２）の切れ目（２２）を合わせた状態を示しており、そこから水切りネットを挿入することや、三角コーナー等の縁に掛けることで、容易に保管できる。【００１６】  図３は、本体部（１）と蓋部（２）を嵌合させた状態で、蓋部（２）の切れ目（２２）を９０度ほど回転させた図であり、これによってできた切れ目（１２）の部分をフック引っ掛け口として使い、市販されているフックなどに引っ掛けて保管ができる。【００１７】  図５は、図４の本考案品の上面図のＡ−Ａ断面であり、本体部（１）のプレス面部（５）と、蓋部（２）の押さえつけ面部（６）を示している。【００１８】  本考案品は、本体部（１）のプレス面部（５）は、従来品と比較し、外径と深さを必要最小寸法にしており、これにより、三角コーナーの隅などの狭い場所や水切りネット内にある生ゴミが少ない場合でも、より効果的に生ゴミの水分を絞ったり、切ったりすることができる。【００１９】  本考案品は、蓋部（２）の押さえつけ面部（６）を球面状にすることで、押さえつけるときに、上方から体重をかけられるようにし、効果的に水分を切ることができる。
【符号の説明】
【００２０】  １    本体部
２    蓋部
５    プレス面部
６    押さえつけ面部
１１  第１の嵌合部
１２  切れ目
２１  第２の嵌合部
２２  切れ目
【図１】
0003198250.tif 000003
【図２】
0003198250.tif 000004
【図３】
0003198250.tif 000005
【図４】
0003198250.tif 000006
【図５】
0003198250.tif 000007
(57)【要約】      （修正有）【課題】タブレット、スマホなど多数の略矩形の携帯端末を収納する収納ケースに関して、小スペースにも関わらず簡単な構造で端末の挿抜を容易とする携帯端末配列構造を提供する。【解決手段】端末の広面を相互に対向させて交互に挟み合う配列とし、交互に所定距離だけ高位置、低位置に配置するための高低部材６、または交互に所定距離だけ前位置、後位置に配置するための前後部材７を備えるとともに、全ての端末の広面を所定角度に傾けて配列する傾斜部材５を備える。【選択図】図３
0003198246.tif 000002
【実用新案登録請求の範囲】
【請求項１】
タブレット、スマホなど多数の略矩形の携帯端末を収納するための収納ケースに関して、端末の広面を相互に対向させて交互に挟み合う配列とし、交互に所定距離だけ高位置、低位置に配置するための高低部材、または交互に所定距離だけ前位置、後位置に配置するための前後部材を備えるとともに、全ての端末の広面を所定角度に傾けて配列する傾斜部材を備えることにより、小スペースで端末の挿抜が容易、かつ構成が簡単な携帯端末配列構造。
【請求項２】
交互に所定距離だけ高位置、低位置に配置するための高低部材、ならびに交互に所定距離だけ前位置、後位置に配置するための前後部材を備えるとともに、全ての端末の広面を所定角度に傾けて配列するための傾斜部材を備えることにより、小スペースで端末の挿抜が容易、かつ構成が簡単な携帯端末配列構造。
【考案の詳細な説明】
【技術分野】
【０００１】タブレット、スマホなど多数の略矩形の携帯端末を収納するための収納ケースに関して、小スペースで端末の挿抜が容易、かつ構成が簡単な携帯端末配列構造。
【背景技術】
【０００２】タブレット、スマホなど多数の略矩形の携帯端末を収納するための収納ケースに関しては、携帯端末を挿抜するために、それぞれの端末を指で摘むための広い隙間が必要となるため収納ケースが大サイズにならざるを得ないが、収納ケースを小サイズにすれば挿抜が困難になるか、または挿抜を容易にするために複雑な挿抜補助部材が必要になるなどの課題を有している。
【考案が解決しようとする課題】
【０００３】タブレット、スマホなど多数の略矩形の携帯端末を収納する収納ケースに関して、小スペースにも関わらず簡単な構造で端末の挿抜を容易とする携帯端末配列構造を実現する。
【課題を解決するための手段】
【０００４】端末の広面を相互に対向させて交互に挟み合う配列とし、交互に所定距離だけ高位置、低位置に配置するための高低部材、または交互に所定距離だけ前位置、後位置に配置するための前後部材を備えるとともに、全ての端末の広面を所定角度に傾けて配列する傾斜部材を備える
【考案の効果】
【０００５】端末の広面を相互に対向させ、交互に挟み合う配列とし、高低部材により交互に所定距離だけ高位置、低位置に配置、または前後部材により交互に所定距離だけ前位置、後位置に配置すするとともに、傾斜部材により全ての端末の広面を所定角度に傾けて配列することにより、端末は隣の端末との間に配置位置の差により上下または前後に隙間が生ずるため、端末間の配列を狭くしても端末を指により摘まんで挿抜することが容易になると共に、全ての端末の広面を所定角度に傾けて配列することにより、垂直配置と比較して端末の配置の安定度が向上する。
【考案を実施するための形態】
【０００６】図１に本考案に基づく携帯端末の配列を示す概念図を示す。本構成は１−１〜１−５に対して高低部材を適用し、２−１〜２−５に対して前後部材を適用した例であり、１−１〜１−５は２−１〜２−５に対して所定距離高く配置され、２−１〜２−５は１−１〜１−５に対して所定距離前に突出しているため、１−２は手３で上に引き抜き、２−１は手４で前に引き抜くことが出来る。このように、配列する端末が交互に空間が形成されるため密接に配列しても指で摘まむ隙間が確保され、携帯端末の収納ケースを小スペースに構成することが可能である。
【０００７】図２は一般的な収納ケースにおける配列を示し、全ての端末が同じ高さ、同じ前後位置に配列されているため、端末を指で摘まむためには端末の配列間隔を相当大きく確保しなければならず、携帯端末の収納ケースは大型にならざるを得ない。本考案の実施例を図３に示す。５は全ての端末の広面を所定角度に傾けて配列するための傾斜部材を示し、端末の広面はこの傾斜構造に斜めに寄りかかる状態で所定の傾斜角度で配列される。６は高低部材を示し、１−１〜１−５は上げ底部材の上に配列されるため、２−１〜２−５より所定距離高い位置に突出している。７は前後部材を示し、２−１〜２−５はこのストッパー部材に突き当てられて止められるため１−１〜１−５より奥には挿入できず所定距離前に突出して配列される。
【実施例】
【０００８】２００×１１０×１０ｍｍのタブレットを本考案を適用せずに４０ｍｍ間隔で１０ケ配列した場合は、タブレットの重なり厚Ｌは４０×１０＝４００ｍｍ程度となるが、本考案を適用する構成では、端末を２０ｍｍ間隔で配列出来るため、Ｌ＝２０×１０＝２００ｍｍ程度となり大幅に小スペースが実現される。また配列のための部材は、５，６及び７に示される構造部材で、ＡＢＳなどの樹脂材で形成されるため端末に傷をつけず、極めて簡易な構造で実現される。なお高低部材ならびに前後部材の両方を適用した図１の構成では、上方向と前方向の二方向への挿抜が可能となるが、いずれか一方を適用した場合は挿抜方向は上か前の一方向になるなど、機能、性能、素材、ディメンジョンなどに関しては本考案の趣旨を逸脱しない範囲であれば種々変形実施が可能である。
【図面の簡単な説明】
【０００９】
【図１】本考案に基づく携帯端末収納ケースにおける端末配列を示す概念図
【図２】一般的な携帯端末収納ケースにおける端末配列を示す概念図
【図３】本考案を実現するための配置構造を示す概念図
【符号の説明】１−１〜１−５  高低部材により高位置に配置された携帯端末
２−１〜２−５  前後部材により前位置に配置された携帯端末
３  １−２携帯端末を挿抜する状態を示す
４  ２−１携帯端末を挿抜する状態を示す
５  携帯端末を傾けて配置するための傾斜部材
６  携帯端末を高位置に配置するための高低部材
７  携帯端末を前位置に配置するための前後部材
Ｌ  タブレットの重なり厚
【図１】
0003198246.tif 000003
【図２】
0003198246.tif 000004
【図３】
0003198246.tif 000005
(57)【要約】      （修正有）【課題】保冷材で首を冷やそうとすると、その保冷材が人の目に付かないように、布で見えないようにしているのが一般的な方法であるが、他人に見せても、何の不自然さもない保冷材になるビー玉ネックレスを提供する。【解決手段】薄く細長い布袋２に、ビー玉を連結して入れ、ビー玉とビー玉の間は、糸４で縫って又は糸４で縛って固定し、薄く細長い布袋２は、胸の付近はビー玉を入れずに薄く細長い布袋２は、左右を結んでネックレスとして使用できるようにした事を特徴とする。【選択図】図２
0003198260.tif 000002
【実用新案登録請求の範囲】
【請求項１】
薄く細長い布袋（２）の中に、複数個のビー玉（１）を入れ、ビー玉とビー玉の間は、布の上から糸（４）で縫って、又は糸（４）で縛って固定し、薄く細長い布袋（２）の両端は、ビー玉（１）を入れずに、胸の付近で左右の先端を結んだ、保冷材になるビー玉ネックレス。
【請求項２】
薄く細長い布袋（２）の中の、ビー玉とビー玉の中間を糸（４）で縫って、又は糸（４）で縛って固定する事に変えて、メタルビーズ（３）を使用する請求項１に記載の保冷材になるビー玉ネックレス。
【考案の詳細な説明】
【技術分野】
【０００１】
本考案は、保冷材として使用しながらフアッションとして、楽しめる保冷材になるネックレスに関する。
【背景技術】
【０００２】
従来、保冷材を使用する時は、人の目に付かないように隠す事は一般的だが、ビー玉を薄く細長い布袋に入れて、ネックレスとして使用しながら美しく見せる事が出来る。
特許文献１  特願２０１２−１５１６８５号公報（保冷スカーフ）において記載はあるが技術的，構造的な違いが大きい。
【先行技術文献】
【特許文献】
【０００３】
【特許文献１】特願２０１２−１５１６８５号公報
【考案の概要】
【考案が解決しようとする課題】
【０００４】
従来、保冷材で首を冷やそうとすると、その保冷材が人の目に付かないように、布で見えないようにしているのが一般的な方法である。
保冷材の形が見えないように、隠す必要があるかどうかは、保冷材の形状・構造・色彩が他人に直接見せられない内容だからである。
他人に見せても、何の不自然さもなくする事が重要であり、この問題は解決しなければならない課題である。
【課題を解決するための手段】
【０００５】
課題を解決するために本考案は，以下の構成とした。
薄く細長い布袋（２）に、ビー玉（１）を連結して入れ、ビー玉（１）とビー玉（１）の中間は、袋の上から糸（４）で縫って又は、糸（４）で縛って固定した。
薄く細長い布袋（２）は、胸の付近はビー玉（１）を入れずに、左右を結んでフアッションとして使用できるようにした。（図１）
【０００６】
又、ビー玉（１）は保冷材ではないが、薄く細長い布袋（２）にビー玉（１）が入ったまま冷凍庫に入れて、出かけるときに保冷剤の役目をするようにネックレスとして、ファッションとして使用出来るようにした。
【０００７】
保冷材として、使用できる他に寒い季節には、ビー玉をネックレスとして使用するだけでなく、レンジに入れて暖めて保温の役目もする事ができる。
【考案の効果】
【０００８】
（イ）暑い季節はビー玉を冷凍庫にいれて、冷して保冷材として使用できる。
（ロ）ビー玉をネックレスとして、ファッションとして使用できる。
（ハ）寒い季節はレンジで暖めて、暖房として使用できる。
【図面の簡単な説明】
【０００９】
【図１】ネックレスとして首にかけている正面図
【図２】ビー玉を薄く細長い布袋に入れてネックレス状態にした正面図
【図３】ビー玉を薄く細長い布袋に入れた状態の説明図
【図４】「Ａ」ビー玉拡大説明図    「Ｂ」メタルビーズ拡大説明図
【図５】薄く細長い布袋の中に、ビー玉を入れ中間にメタルビーズを挟んで固定した断面図
【考案を実施するための形態】
【００１０】
以下，本発明を実施するための最良の形態について説明する。
課題を解決するために本考案は，以下の構成とした。
ビー玉（１）を保冷材として使用する為に、薄く細長い布袋（２）に、ビー玉（１）を連結して入れ、ビー玉（１）とビー玉（１）の中間は、布の上から糸（４）で縫って、又は糸（４）で縛って固定した。薄く細長い布袋（２）は、胸の付近にあたる左右には、ビー玉（１）を入れずに、薄く細長い布袋（２）の、左右を結んでネックレスとして使用できる構造にした。（図３）
【００１１】
又、ビー玉（１）は保冷材ではないが、薄く細長い布袋（２）にビー玉（１）が入ったまま冷凍庫に入れて、出かけるときに保冷材の役目をするようにネックレスとして、使用出来るようにした。
【００１２】
保冷材として、使用する他に寒い季節には、レンジに入れて暖めて保温の目的で使用できる構造にした。
従って寒い季節には暖かい、ネックレスとして、ファッションとして使用できる。
又、薄く細長い布袋（２）は、ファッションとして使用する為に、黒色・青・茶色・赤のようにビー玉（１）が見えない濃い色を使用すると立派なファッションとなる。
【００１３】
薄く細長い布袋（２）の中に複数個のビー玉（１）を入れて、その連結部を布袋の上から糸（４）で縫って、又は糸（４）で縛って固定した。
又、その連結部を布袋の上から糸で縫って製作する事に変えて、メタルビーズを使用して製作できるようにした。（図５）
【符号の説明】
【００１４】
１．ビー玉
２．薄く細長い布袋
３．メタルビーズ
４．糸
【図１】
0003198260.tif 000003
【図２】
0003198260.tif 000004
【図３】
0003198260.tif 000005
【図４】
0003198260.tif 000006
【図５】
0003198260.tif 000007
(57)【要約】【課題】  印刷した平面シートやプラスチックシートを筒状に丸め簡単に組み立てるランプシェードを提供する。【解決手段】  印刷したシート（１）又はプラスチックシートの端にマグネットシート（２）、スチールペーパー（３）を取付、丸めてマグネットの磁力でつなぎ合わせる組み立て式ランプシェードを特徴とする。【選択図】図１
0003198257.tif 000002
【実用新案登録請求の範囲】
【請求項１】
印刷したシート（１）又はプラスチックシートの端にマグネットシート（２）、スチールペーパー（３）を取付、丸めてマグネットの磁力で筒状につなぎ合わせる組み立て式ランプシェード。
【考案の詳細な説明】
【技術分野】
【０００１】この考案は、印刷した平面シートやプラスチックシートを筒状に丸め組み立てるランプシェードに  関するものである。
【背景技術】
【０００２】従来、提灯などの折りたたみ式の吊下げランプシェードはあるが、そのもの自体では自立ができない。
【先行技術文献】
【特許文献】
【０００３】
【特許文献１】特開平０５−１２０９０８ランプシェード
【考案の概要】
【考案が解決しようとする課題】
【０００４】ランプシェードは保管スペースが大きく必要で多数の台数が保管できない。ワンタッチで簡単に組み立てられるランプシェード。本考案は、以上のような欠点をなくすためになされたものである。
【課題を解決するための手段】
【０００５】平面シート又はプラスチックシートをまるめてマグネットで筒状につなぎ組み立てるランプシェードである。シートの両端にゴムマグネットとスチールペーパーを取付たシートを丸めてマグネットの磁力で重ね合わせ接合して円筒状に組み立てる。
【考案の効果】
【０００６】組み立て取り外しが自由自在に簡単にできる。保管がコンパクトにできる、使用するときは組み立てて筒状立体に、保管は平面状になるので小スペースで済む。
【図面の簡単な説明】
【０００７】
【図１】  本考案の立体図である。
【図２】  本考案の平面図である。
【考案を実施するための形態】
【０００８】以下、本考案を実施するための形態について説明する。
シート（１）に表面右端にマグネットシート（２）、左端裏面にスチールペーパー（３）を接着取付したシートを丸めて磁力で貼り合わせ固定すると円筒になり自立でき使用できる。
本考案は、以上のような構造である。
【符号の説明】
【０００９】１  シート
２  マグネットシート
３  スチールペーパー
【図１】
0003198257.tif 000003
【図２】
0003198257.tif 000004
(57)【要約】      （修正有）【課題】オーブンで焼いたバウムクーヘンで容器を形成し、当該容器に甘味を流し込んだ構造を持つ生ケーキを提供する。【解決手段】薄い層で作ったバウムクーヘンを更にオーブンで焼き上げ、同じ大きさにカットする。カットした生地の一方面を底面２として、クッキー生地の固形物を敷き詰める事によりクッキー状の楕円体型の容器にし、視覚的にも味覚的にも生ケーキとして味わえるようにするというもの。【選択図】図２
0003198255.tif 000002
【実用新案登録請求の範囲】
【請求項１】
オーブンで焼いた層の薄いバウムクーヘンで容器を形成し、当該容器の底に固形物を敷き詰め、当該容器に甘味物を流し込んだ構造を持つ生ケーキ。
【考案の詳細な説明】
【技術分野】
【０００１】  本考案はオーブンで焼いたバウムクーヘンで容器を形成し、当該容器に甘味を流し込んだ構造を持つ生ケーキに関するものである。
【背景技術】
【０００２】  従来、バウムクーヘンは芯棒に生地を少量巻き付け、バーナーで焼き、表面が焦げた厚さ１〜２ｍｍの薄い層を焼成し。焼けた層の上に生地をかけながら焼く事を繰り返し、薄い層を１０〜２０層程度つくる。焼きあがった後に芯を抜いて輪切りにした、中心にドーナツ状の穴ができる菓子である。
【考案の概要】
【考案が解決しようとする課題】
【０００３】  従来のバウムクーヘンは芯棒に生地を巻き付け、焼きあがった後に芯を抜いて輪切りにするため、芯棒の直径と同じ直径の穴が中心に形成されてしまう。そのため、容器における底に当たる部分が無いため、中心の穴に内容物を流し込むという事が出来なかった。【０００４】  また、バウムクーヘン自体は厚さ１〜２ｍｍの生地を１０〜２０層程度重ね、焼成は柔らかく柔軟性のあるスポンジ状に焼き上げており、内容物を収める容器のような形状にもなっていない。
【課題を解決するための手段】
【０００５】  本考案は従来のバウムクーヘンの形状の欠点に鑑み、底に当たる部分を形成し内容物を収められよう、層の薄いバウムクーヘンを作り、固く焼き上げ、中心部分の穴に固形物を敷き詰め容器の底を形成するというものである。
【考案の効果】
【０００６】  上述のように、本考案により従来のバウムクーヘンには出来なかった生ケーキとしての様々な加工及び装飾が可能になった。更に容器となる薄く固く焼き上げたバウムクーヘンはクッキー状になっている事から、従来のバウムクーヘンとは異なる固い食感も楽しむ事ができるようになった。
【図面の簡単な説明】
【０００７】
【図１】  本考案のバウムクーヘンで形成した生ケーキの容器の斜視図。
【図２】  図１Ａ−Ａ’線断面図。
【考案を実施するための形態】
【０００８】  バウムクーヘンで形成する器となる、バウムクーヘンの生地は以下の製法により製造することが出来る。配合率、鶏卵３８％、砂糖１１％、でん粉２０％、バター１５％、生クリーム５％、植物油脂５％、小麦粉３％、トレハロース２％、バニラ・ブランデー各少量のバウムクーヘン生地をミキサーにて見掛け比重０．５に調整する。バウムクーヘンオーブンに芯になる棒を掛け、生地を芯の表面に少量かける。芯を回しながら生地の表面を均一に焼成し、厚さ１〜２ｍｍの薄い層を作る。その焼けた層の上に更に生地をかけながら焼成を繰り返し７層重ねる。
【０００９】  芯に巻き付いた生地に生地当てを押し当て、約４０ｍｍ幅の同じ大きさのコブ状にする。芯を抜き大きさを揃え、コブ毎となる約４０ｍｍ幅でカットする。カットした生地の切り口の一方面に、バウムクーヘン４０ｇ当たり、グラハムクッキー８ｇ、パートシュクレ４ｇ、ラスククラム３．８ｇ、バター２ｇ、シナモン１ｇ、グラニュー糖０．６ｇ、ナッツ０．５ｇ、トレハロース０．１ｇを敷き詰め容器の底面とする。この容器に甘味物を流し込み、１５０℃のオーブンで約１５分間焼き上げる。焼きあがった甘味物が流し込まれた容器にそれぞれ生クリーム等の甘味物を付加し、製品となるよう装飾を施し生ケーキとする。
【実施例】
【００１０】  以下、実施例を説明する。１は、本考案のバウムクーヘンで形成した生ケーキの容器である。バウムクーヘンの生地を厚さ１〜２ｍｍで７層を焼成することにより、厚さ７ｍｍ程度のバウムクーヘンの容器を形成している。２はクッキー生地の固形物を敷き詰めた容器の底面である。
【符号の説明】
【００１１】１    バウムクーヘンで形成した生ケーキの容器、側面。
２    クッキー生地で形成した生ケーキの容器の底面。
【図１】
0003198255.tif 000003
【図２】
0003198255.tif 000004
(57)【要約】【課題】被着した本人がメッセージや模様を見ることのできる鉢巻を提供する。【解決手段】本発明に係る鉢巻は、帯状の布地によって形成された鉢巻本体１を有する鉢巻であって、鉢巻本体１は、被着された際に使用者の額部に位置する正面部２を有し、正面部２には、少なくとも文字の鏡像が描かれている。本発明に係る鉢巻によれば、頭部に被着した使用者が鏡を見ることで、正面部２に描かれた文字の鏡像を元の文字として見ることができ、正面部２に描かれたメッセージを確認することができる。【選択図】図１
0003198284.tif 000002
【実用新案登録請求の範囲】
【請求項１】
帯状の布地によって形成された鉢巻本体を有する鉢巻であって、
前記鉢巻本体は、被着された際に使用者の額部に位置する正面部を有し、
前記正面部には、少なくとも文字の鏡像が描かれていることを特徴とする鉢巻。
【請求項２】
前記正面部には、文字及び図形の鏡像が描かれていることを特徴とする請求項１記載の鉢巻。
【請求項３】
前記鉢巻本体には、前記正面部以外の領域にも、文字及び／又は図形の鏡像が描かれていることを特徴とする請求項１または２記載の鉢巻。
【考案の詳細な説明】
【技術分野】
【０００１】
本考案は、頭部に巻回して被着する鉢巻に関する。
【背景技術】
【０００２】
鉢巻は、頭部に巻回して被着される細長い布であり、日本においては、古くから精神の統一や気合の向上のために用いられてきた。特に、入学試験に向けて勉強中の受験生に鉢巻が多く用いられている。
【０００３】
鉢巻は、無地の布であることもあるが、多くの場合、模様や文字が入っている。模様としては、シンボルマークや紋章などがあり、特に多く用いられるのは日の丸である。文字としては、「必勝」や「合格」など目標やメッセージなどが多く用いられる。文字と模様が両方入った鉢巻もよく見られる。
【考案の概要】
【考案が解決しようとする課題】
【０００４】
鉢巻は、頭部に被着するため、用いている本人は鉢巻に入っている模様や文字を見ることができない。勉強している受験生が集中力を持続させることは容易ではなく、時々自分の頭部に被着した鉢巻に描かれたメッセージや模様を見ることができれば、気持ちを入れ替えてより勉強に集中することができると考えられる。
【０００５】
本考案は前記課題を鑑みてなされたものであり、被着した本人がメッセージや模様を見ることのできる鉢巻を提供することを目的とする。
【課題を解決するための手段】
【０００６】
前記課題を解決するため、本考案に係る鉢巻は、帯状の布地によって形成された鉢巻本体を有する鉢巻であって、
前記鉢巻本体は、被着された際に使用者の額部に位置する正面部を有し、
前記正面部には、少なくとも文字の鏡像が描かれていることを特徴として構成されている。
【０００７】
また、本考案に係る鉢巻は、前記正面部には、文字及び図形の鏡像が描かれていることを特徴として構成されている。
【０００８】
さらに、本考案に係る鉢巻は、前記鉢巻本体には、前記正面部以外の領域にも、文字及び／又は図形の鏡像が描かれていることを特徴として構成されている。
【考案の効果】
【０００９】
本考案に係る鉢巻によれば、頭部に被着した使用者が鏡を見ることで、正面部に描かれた文字の鏡像を元の文字として見ることができ、正面部に描かれたメッセージを確認することができる。
【図面の簡単な説明】
【００１０】
【図１】本実施形態における鉢巻の正面図である。
【図２】鉢巻の使用状態図である。
【図３】鉢巻の正面部を鏡に映した状態の図である。
【考案を実施するための形態】
【００１１】
本考案の実施形態について、図面に沿って詳細に説明する。図１には、本実施形態における鉢巻の正面図を示している。この図に示すように、鉢巻は、長尺な帯状の布地によって形成された鉢巻本体１を有している。鉢巻本体１は、中央部に正面部２を有している。正面部２は、鉢巻が使用者の頭部に被着された際には、使用者の額部に位置する。また、正面部２の左右部分は、周囲部３である。
【００１２】
鉢巻本体１の正面部２には、文字及び図形の鏡像が描かれている。具体的には、「あと」と「５分」の文字の各鏡像が、真ん中のダルマの絵を挟んで配置されており、また、ダルマの絵の中にも「必勝」の文字の鏡像が配置されている。
【００１３】
鉢巻本体１の周囲部３には、複数の模様が描かれている。ここには、正面部２の中央部に描かれているダルマの絵が縮小された絵が、複数描かれている。正面部２と周囲部３のダルマの絵は、それぞれ片方の目が白抜きとなっている。
【００１４】
図２には、鉢巻の使用状態図を示している。この図に示すように、鉢巻は、鉢巻本体１を使用者の頭部に巻回して使用される。これは、鉢巻としての通常の使用方法であり、使用者は、鉢巻を頭部に巻回することにより、勉強などを集中して行おうとする意志を、自ら再確認することができる。ここで、正面部２は、使用者の額部に位置するため、鉢巻を被着した使用者は、正面部２を直接見ることはできない。
【００１５】
使用者は、この鉢巻を、単に頭部に被着するだけでなく、次のように用いることもできる。例えば、使用者が受験生であった場合、使用者は、「問題集を１冊征服した」、「テストで予想通りの成績が取れた」、「模擬試験で合格判定が出た」などの目標を予め定め、それらの目標が達成される毎に、周囲部３に描かれているダルマの白抜きとなっている目を塗りつぶしていく。周囲部３には複数のダルマが描かれており、全てのダルマの目が塗りつぶされる頃には、多くの目標が達成されたことを、使用者が確認することができる。最終的には、志望校に合格した際に、正面部２に描かれた大きなダルマの目を塗りつぶすことで、使用者は大きな目標を達成した実感を得ることができる。
【００１６】
図３には、鉢巻の正面部２を鏡に映した状態の図を示している。鉢巻の正面部２に描かれている文字及び図形は、いずれも鏡像であるため、鏡に映すことで図３のように元の形状を見ることができる。頭部に鉢巻を被着した使用者は、鏡を見ることによって、このように正面部２に描かれたメッセージを見て、確認することができる。特に、受験生が勉強する際に、時折鏡を見て、鉢巻を被着した自分の姿と共に、正面部２に描かれたメッセージを確認して集中力を高めるといった用途が考えられる。すなわち、受験生の集中力を持続させるために、本実施形態の鉢巻を用いることができる。
【００１７】
以上、本考案の実施形態について説明したが、本考案の適用は本実施形態には限られず、その技術的思想の範囲内において様々に適用されうるものである。例えば、正面部２に描かれる文字や図形の鏡像は、本実施形態のものには限られない。また、正面部２に描かれるのは、文字の鏡像のみであってもよい。さらに、周囲部３について、本実施形態では図形の鏡像のみが描かれているが、文字の鏡像のみ、あるいは文字と図形の鏡像が描かれていてもよい。
【符号の説明】
【００１８】
１    鉢巻本体
２    正面部
３    周囲部
【図１】
0003198284.tif 000003
【図２】
0003198284.tif 000004
【図３】
0003198284.tif 000005